(57)【要約】【課題】飲料缶容器等の容器に対して簡便に装着することができると共に、コンパクトに景品を収容できる景品収納袋を提供する。【解決手段】周壁２と天壁３を有する容器４の上部に被せることにより景品５を収容保持する合成樹脂フィルム製の景品収容袋である。景品収容袋は、容器４の周壁２を抱持固定する装着部７と、該装着部７から容器４の天壁３の上方を被うように延設された袋部８とを備え、容器４の天壁３と袋部８との間に景品収容室９を形成する。景品収容袋は、合成樹脂フィルムをサイドシールすることにより形成され、開口部１２を有する胴部１３により装着部７を構成し、袋部の上部に合成樹脂フィルムを谷折状に折曲した上部ガゼット１４を備えている。景品は、容器４の天壁３に載置され、展開された上部ガゼット１４により被われる。【選択図】図１
0003135148.tif 000002
【実用新案登録請求の範囲】
【請求項１】
周壁(2)と天壁(3)を有する容器(4)の上部に被せることにより景品(5)を収容保持する合成樹脂フィルム製の景品収容袋であって、
容器(4)の周壁(2)を抱持固定する装着部(7)と、該装着部(7)から容器の天壁(3)の上方を被うように延設された袋部(8)とを備え、
容器の天壁(3)と袋部(8)との間に景品収容室(9)を形成して成ることを特徴とする景品収容袋。
【請求項２】
周壁(2)と天壁(3)を有すると共に周壁の上端近傍部に周溝(6)を設けた容器(4)に対して、該容器(4)の上方から周壁(2)に被せることにより景品(5)を収容保持する合成樹脂フィルム製の景品収容袋であって、
景品収容袋は、表裏に配置された合成樹脂フィルム(10a,10b)を左右両側縁に沿って溶着することによりサイドシール部(11,11)を形成した下向き開口状の胴部(13)と、該胴部(13)から容器(4)の天壁(3)の上方を被うように延設された袋部(8)とを備え、該袋部の上部に前記合成樹脂フィルムを谷折状に折曲した上部ガゼット(14)を形成しており、
前記胴部(13)により容器の周壁(2)を抱持固定する装着部(7)を構成すると共に、前記袋部(8)の展開された上部ガゼット(14)と容器の天壁(3)との間に景品収容室(9)を形成するように構成して成ることを特徴とする景品収容袋。
【請求項３】
前記胴部(13)の左右両側縁の少なくとも一方にサイドシール部(11)よりも内側に位置して表裏の合成樹脂フィルムを相互に溶着することにより該胴部(13)の内径を部分的に縮径する係止部(19)を設けており、該胴部(13)により容器の周壁(2)を抱持固定したとき該係止部(19)が前記周溝(6)に係止するように構成して成ることを特徴とする請求項２に記載の景品収容袋。
【請求項４】
前記胴部(13)に帯状の補強フィルム(15)を周設しており、該補強フィルムは、該胴部に溶着された前記合成樹脂フィルムとは別体の厚手の合成紙(16)により構成されて成ることを特徴とする請求項２又は３に記載の景品収容袋。
【請求項５】
前記胴部(13)に帯状の補強フィルム(15)を周設しており、該補強フィルムは、前記合成樹脂フィルムを該胴部(13)の開口縁(12a)に沿って折返した折曲フィルム部(18)により構成されて成ることを特徴とする請求項２又は３に記載の景品収容袋。
【請求項６】
前記合成樹脂フィルム(10)の少なくとも内面に防曇処理が施されて成ることを特徴とする請求項１、２、３、４又は５に記載の景品収容袋。
【考案の詳細な説明】
【技術分野】
【０００１】
本考案は、周壁と天壁を有する容器の上部に被せて天壁上部に景品を収容保持する景品収容袋に関する。
【背景技術】
【０００２】
近年、缶容器やボトル容器に入れられた清涼飲料、炭酸飲料或いはアルコール飲料等の飲料品の販売促進のため、スーパーマーケットやコンビニエンスストア等の店舗において缶容器やボトル容器に景品を添付した状態で展示販売が行われている。例えば、特許文献１は、本出願人が先に提案した吊下包装体であり、ヘッダー部に設けた吊下手段をボトル容器の首部に挿入装着し、景品を収容する袋部を吊下支持するように構成している。
【０００３】
【特許文献１】特開２００５−２９７９９１号公報
【考案の開示】
【考案が解決しようとする課題】
【０００４】
しかしながら、特許文献１のような吊下包装体は、景品をボトル容器の首部に吊下支持するタイプであるので、景品を収容した袋部がぶらぶらと揺動し、陳列作業や持ち運びの際に邪魔になるという問題があった。
【０００５】
そこで、本考案は、袋部が容器に対して揺動せず、陳列作業や持ち運びの際にも邪魔にならない景品収容袋を提供するものである。
【課題を解決するための手段】
【０００６】
上記目的を達成するため、本考案が第１の解決手段として構成したところは、周壁と天壁を有する容器の上部に被せることにより景品を収容保持する合成樹脂フィルム製の景品収容袋であって、容器の周壁を抱持固定する装着部と、該装着部から容器の天壁の上方を被うように延設された袋部とを備え、容器の天壁と袋部との間に景品収容室を形成した点にある。かかる構成の景品収容袋を容器に装着すると、装着部が容器の周壁を抱持固定するので、容器の天壁と袋部との間の景品収容室に景品を安定して保持することができる。
【０００７】
また本考案が第２の解決手段として構成したところは、周壁と天壁を有すると共に周壁の上端近傍部に周溝を設けた容器に対して、該容器の上方から周壁に被せることにより景品を収容保持する合成樹脂フィルム製の景品収容袋であって、景品収容袋は、表裏に配置された合成樹脂フィルムを左右両側縁に沿って溶着することによりサイドシール部を形成した下向き開口状の胴部と、該胴部から容器の天壁の上方を被うように延設された袋部とを備え、該袋部の上部に前記合成樹脂フィルムを谷折状に折曲した上部ガゼットを形成しており、前記胴部により容器の周壁を抱持固定する装着部を構成すると共に、前記袋部の展開された上部ガゼットと容器の天壁との間に景品収容室を形成するように構成した点にある。かかる構成の景品収容袋を容器の上方から周壁に被せて装着すると、胴部が容器の周壁を密着抱持することにより固定される。そして袋部の展開された上部ガゼットと容器の天壁との間に景品収容室に景品を安定して保持することができる。
【０００８】
本考案の景品収容袋は、前記胴部の左右両側縁の少なくとも一方にサイドシール部よりも内側に位置して表裏の合成樹脂フィルムを相互に溶着することにより該胴部の内径を部分的に縮径する係止部を設け、該胴部により容器の周壁を抱持固定したとき、該係止部が前記周溝に係止されるように構成することができる。これにより、胴部を容器の周壁に被せることにより抱持固定した状態で、係止部が容器の周溝に係止するので、胴部が容器の周壁から引き抜き方向に遊動して脱落することを防止できる。
【０００９】
また、本考案の景品収容袋は、胴部に対して帯状の補強フィルムを周設した構成とすることが好ましい。この場合、補強フィルムは、景品収容袋の胴部を形成する合成樹脂フィルムとは別体の厚手の合成紙を該胴部に溶着することにより構成しても良いし、或いは、胴部を形成する合成樹脂フィルム自体を胴部の開口縁に沿って折返すことにより形成した折曲フィルム部により構成しても良い。このような補強フィルムを設けることにより、容器の周壁を抱持固定する胴部の装着部が補強され腰の強いものとなるので、容器の周壁に被せて装着する作業が容易となる。
【００１０】
更に、本考案の景品収容袋は、景品収容室を構成する合成樹脂フィルムの少なくとも内面に防曇処理を施した構成とすることが好ましい。
【考案の効果】
【００１１】
請求項１に記載の本考案によれば、景品収容袋を容器の上部に被せることにより装着すると、装着部が容器の周壁を抱持固定すると共に、装着部から延設された袋部が容器の天壁との間に景品収容室を形成する。従って、景品収容室に景品を簡便に収容することができ、しかも、景品を収容した袋部がぶらぶらと揺動することはないので、陳列作業や持ち運びに際して取り扱い易い構造となる。この際、景品収容室は、容器の天壁を利用することにより該天壁の上方を被う袋部により形成されるので、袋部の構造が簡単で合成樹脂フィルムの使用量も少なく経済的である。そして、全体としてコンパクトであり、容器の天壁の上に景品を収容保持する構成であるから、容器を多数並べて陳列する際に場所をとらず、陳列棚等に対して密に陳列することができ、しかも、収容された景品が容器の天壁に安定支持されるという利点がある。
【００１２】
請求項２に記載の考案によれば、景品収容袋の胴部を容器の上方から周壁に被せて装着すると、胴部により構成された装着部が容器の周壁を密着抱持することにより好適に固定され、しかも、上部ガゼットが展開されて袋部を膨張することにより広い景品収容室を形成するので、嵩高い景品であっても好適に収容することができる。
【００１３】
この際、請求項３のように胴部の内径を部分的に縮径する係止部を設けておけば、容器の周壁に被せられた胴部が係止部により縮径方向に緊張されるので、胴部を容器の周壁に良好に密着抱持させ、安定的に固定することができる。
【００１４】
ところで、缶ビールや缶コーヒ等のような缶容器においては、周壁の上端近傍部に周溝が形成されている。そこで、前記係止部を容器の周溝に係止させると、胴部が容器の周壁上で引き抜き方向の遊動を阻止される。従って、景品収容袋が容器から不慮に脱落することを好適に防止することができる。
【００１５】
景品収容袋は、胴部に帯状の補強フィルムを周設することにより装着部を補強することが好ましい。この際、請求項４のように景品収容袋を構成する合成樹脂フィルムとは別体の厚手の合成紙を胴部に溶着することにより補強フィルムを構成しても良く、或いは、請求項５のように景品収容袋を構成する合成樹脂フィルム自体を胴部の開口縁に沿って折返した折曲フィルムにより構成しても良い。これにより胴部が補強された腰の強いものとなるので、胴部を容器の周壁に被せるとき、胴部の開口縁がめくれることにより装着作業を困難とするようなことがなく、装着作業が容易となる。
【００１６】
上述した缶ビールや缶コーヒ等の缶飲料は、コンビニエンスストア等の店舗において冷蔵庫に保管される。このため、景品収容袋を装着していると、袋部の内面に結露を生じる虞れがある。そこで、この場合、請求項６のように袋部を形成するための合成樹脂フィルムとして、少なくとも内面に防曇処理を施したフィルムを使用することが好ましい。これにより結露を防止し、収容された景品の品質低下を防止できる。
【考案を実施するための最良の形態】
【００１７】
以下図面に基づいて本考案の好ましい実施形態を詳述する。図１及び図２は本考案の１実施形態に係る景品収容袋１を示しており、図１は容器に装着する前の状態を示し、図２は容器に装着した状態を示している。容器４は、例えば、清涼飲料、炭酸飲料或いはアルコール飲料等の飲料用の缶容器とされ、周壁２と天壁３を有すると共に周壁２の上端近傍部に周溝６を設けている。但し、本考案が対象とする容器４は必ずしも飲料用の缶容器に限定されるものではない。
【００１８】
景品収容袋１は、可撓性を有する合成樹脂フィルムで形成され、容器４の上方から被せたとき、容器４の周壁２を抱持固定する装着部７を構成する胴部１３と、該装着部７から容器４の天壁３の上方を被うように延設される袋部８とを備えており、該袋部８と容器４の天壁３との間に景品５を収容する景品収容室９を形成する。尚、図例の場合、缶ビールの缶容器４が例示され、豆菓子その他のおつまみ等のパッケージが景品５として例示されているが、これに限定されるものではない。
【００１９】
図３は、景品収容袋１の好ましい例を示しており、（ａ）は外観斜視を示し、（ｂ）はのＡ−Ａ断面を示している。景品収容袋１は、表フィルム１０ａと裏フィルム１０ｂを重ね合わせて成る合成樹脂フィルム１０を左右両側縁に沿って溶断溶着することにより互いに平行な一対のサイドシール部１１，１１を形成し、下向きに開口する開口部１２を備えた筒状の胴部１３と、胴部１３から上方に延設された袋部８とを備え、袋部８の上部に合成樹脂フィルム１０を谷折り状に折曲した上部ガゼット１４を設けている。図例の場合、１枚の合成樹脂フィルム１０を折曲することにより前記上部ガゼット１４を形成し、上部ガゼット１４から延長垂下された一対のフィルムにより表裏フィルム１０ａ、１０ｂを構成しているが、必ずしもこのような構成に限られるものではない。
【００２０】
上記構成により、景品収容袋１は、胴部１３の開口部１２に容器４の周壁２を挿入したとき、該胴部１３により周壁２を抱持固定する装着部７が構成される。このとき、上部ガゼット１４が展開されることにより袋部８を膨張させ、上部ガゼット１４と容器４の天壁３との間に景品収容室９を形成する。景品５は、景品収納袋１を容器４に被せる前に、容器４の天壁３の上に載置しておいても良く、或いは、袋部８の内部に挿入配置しておいても良い。
【００２１】
合成樹脂フィルム１０の表面には任意の絵柄や模様等を印刷することが可能である。例えば、合成樹脂フィルム１０の表面に新製品や販促キャンペーン等の広告情報も印刷することができる。また合成樹脂フィルム１０を透明フィルムとして景品収容室９の内部を外側から視認可能とすることもできる。
【００２２】
合成樹脂フィルム１０の少なくとも内面には防曇処理が施される。このような防曇処理は、原料樹脂に防曇剤を混練して合成樹脂フィルム１０を成形する場合や、合成樹脂フィルム１０の表面に防曇剤をコーティングする場合等、任意の方法によることができる。防曇剤は公知のものが使用可能であり、例えば、界面活性剤を含む組成物を使用すれば、界面活性剤が水滴の表面張力を低下させてフィルム表面の結露を防止する。このような防曇処理により、例えば、景品収容袋１を装着した容器３を冷蔵庫に保管する場合でも、袋部８の内面に結露が生じることを防止できる。尚、合成樹脂フィルム１０の全体に防曇処理を施しても良いが、結露は主として膨張された袋部８の内面に生じるので、景品収納袋１のうち、少なくとも袋部８の内面に防曇処理を施せば良い。
【００２３】
景品収容袋１は、開口部１２を含む胴部１３の内径を容器４の周壁２に適合するように該周壁２の外径とほぼ同径或いは僅かだけ大径となるように形成することにより装着部７を構成する。従って、胴部１３を容器３の上方から被せたとき、装着部７が容器４の周壁２を密着抱持し固定する。胴部１３は、表裏フィルム１０ａ、１０ｂのみで構成しても良いが、必要に応じて、開口部１２の開口縁に沿って帯状の補強フィルム１５を胴部１３の内側に周設することが好ましい。補強フィルム１５は、胴部１３を補強して腰の強いものとし、容器４の周壁２を開口部１２から胴部１３に挿入する際に、胴部１３の開口縁がめくれることを抑制してスムーズな装着を可能にする。そのため、補強フィルム１５は、滑りが良く、かつ合成樹脂フィルム１０と同等或いはそれ以上に剛性のあるフィルムシートを用いることが好ましい。
【００２４】
補強フィルム１５は、図３（ｂ）に示すように、景品収容袋１を構成する合成樹脂フィルム１０とは別体の厚手の合成紙１６を胴部１３に溶着部１７で溶着することにより構成することができる。図例では、合成紙１６を胴部１３の内側に配置しているが、外側に配置しても良く、更には、内外両側に配置しても良い。この際、胴部１３の外部から視認できる合成紙１６の表面に適宜の印刷を施すことが可能である。尚、溶着部１７は、開口縁１２ａの部分に形成することが好ましく、これにより開口縁１２ａの部分で合成樹脂フィルム１０と合成紙１６が互いにめくれないように一体結合される。
【００２５】
補強フィルム１５は、図４に示すように、合成樹脂フィルム１０を胴部１３の開口縁１２ａに沿って胴部１３に折返した折曲フィルム部１８により構成しても良い。この場合、開口縁１２ａにフィルムの折返し縁が位置するので、よりスムーズな装着が可能になる。図例の場合、折曲フィルム部１８の上端近傍が溶着部１７により胴部１３に溶着されている。尚、図面は、胴部１３の内側に補強フィルム１５を折返した構成を例示しているが、胴部１３の外側に補強フィルム１５を折返しても良い。更には、図３（ｂ）に示すような合成紙１６と図４に示すような折曲フィルム部１８との両者を併設しても良い。
【００２６】
景品収容袋１の胴部１３は、左右両側縁のサイドシール部１１、１１よりも内側に位置して表裏フィルム１０ａ、１０ｂを相互に溶着することにより、胴部１３の内径を部分的に縮径する係止部１９、１９を設けている。この場合、左右両側の係止部１９、１９は左右対称の位置に設けることが好ましい。しかしながら、係止部１９は、必ずしも左右両側に設ける必要はなく、左右の何れか一方に形成しておけば良い。
【００２７】
図５（ａ）及び（ｂ）は、係止部１９の実施例を示している。図５（ａ）に示す実施例の場合、係止部１９ａは、サイドシール部１１、１１に近接する位置にスポット状の溶着部を設けることにより形成されている。このような係止部１９ａは、サイドシール部１１、１１を形成するための表裏フィルム１０ａ、１０ｂの溶断溶着時に同時にスポット溶着することにより形成しても良く、或いは、溶断溶着の後にスポット溶着することにより形成しても良い。図５（ｂ）に示す実施例の場合、係止部１９ｂは、サイドシール部１１、１１と連続して形成されている。このような係止部１９ｂを形成するためには、例えば、表裏フィルム１０ａ、１０ｂの溶断刃の両側縁に沿って溶着圧接部を設け、これにより幅広のサイドシール部１１、１１を形成するように構成すると共に、前記溶着圧接部に交差してスポット溶着部を連設し、幅広のサイドシール部１１、１１を形成するとき同時に係止部１９ｂが溶着形成されるように構成すれば良い。
【００２８】
前記何れの実施例においても、係止部１９は、胴部１３により容器４の周壁２を抱持固定したとき、容器４の周溝６に係止する位置に形成されている。係止部１９が周溝６に係止した状態を図６に示している。景品収容袋１を容器４に装着する際、胴部１３の開口部１２に容器４の周壁２の上端端部２ａを挿入した状態で、胴部１３を周壁２に沿って下降させていくと、係止部１９が周壁２の拡径した上端部２ａを超える際に、合成樹脂フィルム１０が一時的に若干周方向に伸びて係止部１９を周溝６に嵌め込むことができる。係止部１９、１９が周溝６に係止すると、胴部１３の更なる下降が規制されるので、胴部１３が所定位置に位置決めされた状態で装着される。そして、上向きに大きな外力が作用しない限り、胴部１３が上方に移動して容器４から離脱することはない。
【００２９】
胴部１３により構成された装着部７が容器４の周壁２を抱持固定した状態で、上部ガゼット１４が展開されることにより袋部８が膨張し、容器４の天壁３と上部ガゼット１４の間に形成された景品収容室９に景品５が収容保持され、この状態で商品として展示され販売される。
【００３０】
以上、本考案の１実施形態について説明したが、本考案が上述した内容に限定されるものではない。例えば、次のような変形例が本考案に含まれる。
【００３１】
図７は、景品収容袋の変形例を示しており、景品収容袋１ａは、サイドシール部１１、１１の上部を円弧状に溶断溶着されている。図７（ａ）に示すように、サイドシール部１１、１１は、上部ガゼット１４を構成する合成樹脂フィルム１０の谷折状の折曲線１４ａと交差する位置１４ｂを始点として所定半径の円弧状に溶断溶着する円弧状の延長サイドシール部１１ａ、１１ａを延設しており、表フィルム１０ａに形成される延長サイドシール部１１ａと、裏フィルム１０ｂに形成される延長サイドシール部１１ａを相互に分離した独立の状態で形成している。従って、上述の図１に基づき説明した実施例に係る景品収容袋１の場合、表裏フィルム１０ａ、１０ｂを相互に上部ガゼット１４の両端位置を含む上端までサイドシール部１１、１１により溶着しているので、上部ガゼット１４の両端が完全に展開しないのに対して、この変形例に係る景品収容袋１ａによれば、図７（ｂ）に示すように、上部ガゼット１４の両端を含む全体を展開させることが可能となる。即ち、景品収容袋１ａを容器４の上方から周壁２に被せて装着すると、図７（ｂ）に示すように、上部ガゼット１４の両端を含むほぼ全面が外部から視認可能なように展開される。そのため上部ガゼット１４に絵柄等を印刷している場合には、陳列した状態でその絵柄の全体を視認でき、体裁が更に良くなる。しかも、延長サイドシール部１１ａを円弧状に形成しているので、展開された上部ガゼット１４の周縁が容器４の周壁２の外形に可及的類似した平面視ほぼ円形に表されるので、体裁の良い形状となるように展開される。
【００３２】
図８は、景品収容袋の別の変形例を示しており、景品収容袋１ｂは、サイドシール部１１、１１の上部を斜めに溶断溶着されている。図８（ａ）に示すように、サイドシール部１１、１１は、上部ガゼット１４を構成する合成樹脂フィルム１０の谷折状の折曲線１４ａと交差する位置１４ｂを始点として所定角度で斜めに溶断溶着する斜辺状の延長サイドシール部１１ｂ、１１ｂを延設しており、表フィルム１０ａに形成される延長サイドシール部１１ｂと、裏フィルム１０ｂに形成される延長サイドシール部１１ｂを相互に分離した独立の状態で形成している。従って、この変形例に係る景品収容袋１ｂも上部ガゼット１４の両端を含む全体を展開させることが可能となり、図７に示した変形例に係る景品収容袋１ａと同様の効果がある。
【００３３】
図９は、景品収容袋１の別の実施形態を示しており、胴部１３の内側に滑り止め手段２０を形成している。従って、胴部１３を容器４の周壁２に被せることにより抱持させると、滑り止め手段２０が周壁２に摩擦係合するので、滑動が妨げられ、周壁２から胴部１３が脱落することを防止する。このような滑り止め手段２０は、例えば、胴部１３の内側面に粗面を形成するインクを印刷することにより容易に形成できる。即ち、胴部１３を合成樹脂フィルム１０のみで形成する場合は、予め該フィルムに粗面を形成するインクを印刷しておくことにより、或いは、胴部１３の内側に補強フィルム１５を周設する場合は、予め該補強フィルムに粗面を形成するインクを印刷しておくことにより、胴部１３の内側に滑り止め手段２０が形成される。
【００３４】
図９に示すように、前記滑り止め手段２０に代えて又は滑り止め手段２０と併設して、胴部１３に粘着手段２１を設けることができる。図例の場合、粘着手段２１は、粘着剤２１ｂを備えたテープ等の舌片２１により構成され、該舌片２１の一端部を胴部１３に固着し、他端部を胴部１３からはみ出すように延長している。図示省略しているが、粘着手段２１は離型材により被覆されている。そこで、胴部１３を容器４の周壁２に被せることにより抱持させた後、前記離型材を剥離することにより露出した粘着手段２１を周壁２に粘着させれば、胴部１３の滑動が妨げられ周壁２から脱落することを防止する。尚、このような粘着手段２１は、公知の粘着テープを利用することにより形成しても良く、或いは、胴部１３に舌片を一体成形し、該舌片に両面粘着テープを設けることにより形成しても良い。
【図面の簡単な説明】
【００３５】
【図１】本考案の１実施形態に係る景品収容袋を示しており、容器に装着する前の状態を示す斜視図である。
【図２】前記景品収容袋を容器に装着した状態を示す斜視図である。
【図３】景品収容袋の１構成例を示しており、（ａ）は外観斜視図であり、（ｂ）は（ａ）のＡ−Ａ線断面図である。
【図４】合成樹脂フィルムを胴部の開口縁に沿って折返した折曲フィルム部により補強フィルムを構成した場合を示す拡大断面図である。
【図５】胴部に設けた係止部の例を示しており、（ａ）はサイドシール部と別に形成した係止部の構成例を示す正面図、（ｂ）はサイドシール部と一体に連設した係止部の構成例を示す正面図である。
【図６】景品収容袋を容器に装着した状態の断面図である。
【図７】景品収容袋の変形例であり、サイドシール部から上部ガゼットの両端に延びる円弧状の延長サイドシール部を形成した構成を示しており、（ａ）は正面図、（ｂ）は景品収容袋を容器に装着した状態の斜視図である。
【図８】景品収容袋の別の変形例であり、サイドシール部から上部ガゼットの両端に延びる斜辺状の延長サイドシール部を形成した構成を示しており、（ａ）は正面図、（ｂ）は景品収容袋を容器に装着した状態の斜視図である。
【図９】景品収容袋の別の実施形態を示す断面図である。
【符号の説明】
【００３６】
１，１ａ，１ｂ  景品収容袋
２  周壁
３  天壁
４  容器
５  景品
６  周溝
７  装着部
８  袋部
９  景品収容室
１０  合成樹脂フィルム
１１  サイドシール部
１２  開口部
１３  胴部（装着部）
１４  上部ガゼット
１５  補強フィルム
１６  合成紙
１８  折曲フィルム部
１９  係止部
【図１】
0003135148.tif 000003
【図２】
0003135148.tif 000004
【図３】
0003135148.tif 000005
【図４】
0003135148.tif 000006
【図５】
0003135148.tif 000007
【図６】
0003135148.tif 000008
【図７】
0003135148.tif 000009
【図８】
0003135148.tif 000010
【図９】
0003135148.tif 000011